(57)【要約】      （修正有）【課題】一時的に外したマスクを衛生的かつ簡易に保管することができ、廉価で携帯性に優れたマスク保管具を提供する。【解決手段】マスク保管具は抗菌処理が施された１枚のシート材１´から組立て可能でかつシート材へと再展開可能である。シート材は、マスクＭを置くためのマスク置き部１０と、マスク置き部と第１折り目を介して隣り合い、マスク置き部に置かれたマスクを覆うカバー部２０と、マスク置き部と第２折り目を介して隣り合い、マスク置き部に置かれたマスクを覆った状態のカバー部をその状態に係止可能なカバー係止部３０とを備える。カバー部はカバー係止部によって係止される被係止部を含む。マスク置き部は、マスクの２つの耳ひもｍをそれぞれ引っ掛けることができる２つの耳ひも引っ掛け片１１を含む。【選択図】図３
0003228971.tif 000002
【実用新案登録請求の範囲】
【請求項１】
外したマスクを一時的に保管することができるマスク保管具であって、
前記マスク保管具は抗菌処理が施された１枚のシート材から組立て可能でかつ前記シート材へと再展開可能であり、
前記シート材は、マスクを置くためのマスク置き部と、
前記マスク置き部と第１折り目を介して隣り合うカバー部であって、前記マスク置き部に置かれたマスクを覆うことができるカバー部と、
前記マスク置き部と第２折り目を介して隣り合うカバー係止部であって、前記マスク置き部に置かれたマスクを覆った状態の前記カバー部をその状態に係止可能なカバー係止部とを備え、
前記カバー部は前記カバー係止部によって係止される被係止部を含むことを特徴とするマスク保管具。
【請求項２】
前記マスク置き部は、マスクの２つの耳ひもをそれぞれ引っ掛けることができる２つの耳ひも引っ掛け片を含み、前記２つの耳ひも引っ掛け片は、前記マスク置き部の第１端縁及び第２端縁からそれぞれ入れられた２つの切込みを含む請求項１に記載のマスク保管具。
【請求項３】
前記耳ひも引っ掛け片各々は、前記２つの切込みの端間を結ぶ第３折り目から折り曲げることができ、
前記マスク置き部の前記第１端縁と前記第２端縁との間の間隔は２０ｃｍであり、前記第１端縁及び前記第２端縁からの前記切込みの長さは２．５ｃｍである請求項２に記載のマスク保管具。
【請求項４】
前記シート材の表裏面の少なくとも一部に広告用スペースを含む請求項１〜３のいずれか１項に記載のマスク保管具。
【請求項５】
前記広告用スペースは、前記マスク置き部の、マスクが置かれる内側面とは反対側の外側面に設定される請求項４に記載のマスク保管具。
【請求項６】
前記シート材、前記マスク置き部、前記カバー部及び前記カバー係止部はいずれも矩形である請求項１〜５のいずれか１項に記載のマスク保管具。
【請求項７】
前記シート材は、ポリエチレン、ポリプロピレン、塩化ビニル樹脂、ポリスチレン、ＡＳ樹脂、ＡＢＳ樹脂、ポリエチレンテレフタレート、アクリル樹脂、ポリカーボネート、ポリアミド、又はポリ乳酸からなる請求項１〜６のいずれか１項に記載のマスク保管具。
【考案の詳細な説明】
【技術分野】
【０００１】
本考案はマスク保管具、特に顔から外したマスクを一時的に保管することができるマスク保管具に関する。
【背景技術】
【０００２】
マスク着用時の食事、歯科治療等、マスクを一時的に外す必要がある場合において、マスクをテーブルの上に置いたり、マスクをその耳ひもからフックに掛けたりしているが、これらは衛生的ではない。マスクを収納可能なマスクケースが販売等されているが、それらは比較的高価であり、また立体的で嵩張り、持ち運びが不便である。
【考案の概要】
【考案が解決しようとする課題】
【０００３】
本考案は、上記の点に鑑みてなされたもので、一時的に外したマスクを衛生的かつ簡易に保管することができ、廉価で携帯性に優れたマスク保管具を提供することを目的とする。
【課題を解決するための手段】
【０００４】
上記課題を解決するため、本考案によれば、外したマスクを一時的に保管することができるマスク保管具であって、前記マスク保管具は抗菌処理が施された１枚のシート材から組立て可能でかつ前記シート材へと再展開可能であり、前記シート材は、マスクを置くためのマスク置き部と、前記マスク置き部と第１折り目を介して隣り合うカバー部であって、前記マスク置き部に置かれたマスクを覆うことができるカバー部と、前記マスク置き部と第２折り目を介して隣り合うカバー係止部であって、前記マスク置き部に置かれたマスクを覆った状態の前記カバー部をその状態に係止可能なカバー係止部とを備え、前記カバー部は前記カバー係止部によって係止される被係止部を含むことを特徴とするマスク保管具が提供される。
【０００５】
本明細書中、組立て前のシート材と組立て後のマスク保管具とを便宜的に区別して説明するが、シート材とマスク保管具は同一のものであり、組立て前のシート材もマスク保管具であり、マスク置き部、カバー部、カバー係止部等はシート材に属するのみならずマスク保管具にも属する。
【０００６】
本考案に係るマスク保管具は、プラスチック製又は紙製の１枚のシート材を使用時にマスク保管具へと組み立てつつ、このマスク保管具にマスクを一時的に収容させる。シート材は表裏全面に抗菌処理が施されているため、マスクを衛生的に包み込むことができる。また、使用後はマスク保管具を平坦なシート材に戻して鞄等に携帯したり、使い捨ててもよい。このような平坦なシート材は従来の立体的なマスクケースに比べて低コストで作成可能であり、携帯性にも優れる。
【０００７】
本考案の一実施形態において、前記マスク置き部は、マスクの２つの耳ひもをそれぞれ引っ掛けることができる２つの耳ひも引っ掛け片を含み、前記２つの耳ひも引っ掛け片は、前記マスク置き部の第１端縁及び第２端縁からそれぞれ入れられた２つの切込みを含む。更に、前記耳ひも引っ掛け片各々は、前記２つの切込みの端間を結ぶ第３折り目から折り曲げることができ、前記マスク置き部の前記第１端縁と前記第２端縁との間の間隔は２０ｃｍであり、前記第１端縁及び前記第２端縁からの前記切込みの長さは２．５ｃｍとすることができる。マスク置き部及び耳ひも引っ掛け片の切込みの寸法を上記のように設定することにより、一般的なサイズの不織布マスクの耳ひもを耳ひも引っ掛け片に引っ掛けることができると共に、一般的なサイズの立体マスクを半部に折り畳み、この立体マスクを第３折り目から折り曲げた２つの耳ひも引っ掛け片でマスク置き部に対して押さえることが可能となる。
【０００８】
本考案の一実施形態において、前記シート材の表裏面の少なくとも一部に広告用スペースを含む。更に、前記広告用スペースは、前記マスク置き部の、マスクが置かれる内側面とは反対側の外側面に設定され得る。このような広告用スペースに顧客等に応じた広告を付すことにより、本マスク保管具を例えばノベルティ商品として配布するなど販促に活用することができる。
【０００９】
本考案の一実施形態において、前記シート材は、ポリエチレン、ポリプロピレン、塩化ビニル樹脂、ポリスチレン、ＡＳ樹脂、ＡＢＳ樹脂、ポリエチレンテレフタレート、アクリル樹脂、ポリカーボネート、ポリアミド、又はポリ乳酸からなる。
【考案の効果】
【００１０】
本考案に係るマスク保管具では、シート材が表裏全面に抗菌処理が施されているため、マスクを衛生的に包み込むことができる。また、使用後はマスク保管具を平坦なシート材に戻して鞄等に携帯したり、使い捨ててもよい。このような平坦なシート材は従来の立体的なマスクケースに比べて低コストで作成可能であり、携帯性にも優れる。
【図面の簡単な説明】
【００１１】
【図１】図１は、本考案の一実施形態に係るマスク保管具となるシート材の平面図である。
【図２】図２は、シート材をマスク保管具へと組み立てながらマスクを収納する工程を示す説明図である。
【図３】図３は、シート材をマスク保管具へと組み立てながらマスクを収納する工程を示す説明図である。
【図４】図４は、シート材をマスク保管具へと組み立てながらマスクを収納する工程を示す説明図である。
【図５】図５は、シート材をマスク保管具へと組み立てながらマスクを収納する工程を示す説明図である。
【図６】図６は、シート材をマスク保管具へと組み立てながらマスクを収納する工程を示す説明図である。
【図７】図７は、シート材をマスク保管具へと組み立てながらマスクを収納する工程を示す説明図である。
【図８】図８は、立体型のマスクを収納する場合の図２に対応する説明図である。
【図９】図９は、図８の状態から耳ひも引っ掛け片を折り曲げる状態を示す説明図である。
【考案を実施するための形態】
【００１２】
以下、本考案の実施形態を図面に基づいて説明するが、本考案はそのような実施形態に限定されるものではない。図１は、本考案の一実施形態に係るマスク保管具１（図７等参照）となるシート材１´の平面図（展開図）である。シート材１´は表裏全面に抗菌処理が施された長方形状でポリプロピレン等のプラスチック製の可撓性シートである。以下、左右及び上下は別途指定しない限り図１に基づくものとする。本実施形態において、シート材１´の左右長さは一例として３０ｃｍであり、上下長さは一例として２０ｃｍである。
【００１３】
シート材１´は左右に長い長方形状（矩形状）であり、マスクＭ（図２等参照）を置くための長方形状のマスク置き部１０と、マスク置き部１０と第１折り目ｆ１を介して左方に隣り合う長方形状のカバー部２０と、マスク置き部１０と第２折り目ｆ２を介して右方に隣り合う長方形状のカバー係止部３０とを備える。マスク置き部１０、カバー部２０及びカバー係止部３０は上下長さが同じ２０ｃｍである。また、カバー部２０の左右長さは１０．５ｃｍであり、左右長さが１１ｃｍであるマスク置き部１０よりも若干短く設定される。カバー係止部３０は、その左右長さが８．５ｃｍであり、マスク置き部１０及びカバー部２０それぞれの左右長さよりも短くなるように設定される。
【００１４】
マスク置き部１０は、マスクＭの２つの耳ひもｍ（図２等参照）をそれぞれ引っ掛けることができる２つの耳ひも引っ掛け片１１を上下端部に備える。２つの耳ひも引っ掛け片１１は、マスク置き部１０の上下端縁（第１及び第２端縁）ｅから垂直に入れられた２つの切込み１２と、これら切込み１２の端間を結ぶ第３折り目ｆ３とを含む。上端縁ｅと下端縁ｅとの間の間隔はマスク置き部１０の上下長さと同じ２０ｃｍである。また、各切込み１２の上又は下端縁ｅからの上下長さは２．５ｃｍである。マスク置き部１０における上下の第３折り目ｆ３間の間隔は１５ｃｍであり、これは、一般的な大人サイズで不織布製の使い捨てマスク（耳ひもを除く）Ｍの横幅とほぼ同じ長さである。また、マスク置き部１０の左右長さである第１折り目ｆ１と第２折り目ｆ２との間の間隔は上記したように１１ｃｍであり、マスクＭの縦長を若干上回るように設定される。
【００１５】
カバー係止部３０は係止片３１を含む。係止片３１は、図１の展開状態において右方に凸となる円弧状のスリット３２によって形成される。カバー部２０は、マスク置き部１０上に重なるように第１折り目ｆ１から折り曲げられた際、カバー係止部３０の係止片３１によって係止される被係止部２１を含む。被係止部２１は、図１の展開状態において左方に凸となる円弧状のスリット２２によって形成される。
【００１６】
シート材１´の表裏面の少なくとも一部には広告を印刷等することができる広告用スペースが設けられる。本実施形態では、マスク置き部１０の、マスクＭが置かれる内側面（図１に現れる側の面）とは反対側の外側面全体が広告用スペースとして設定される。
【００１７】
次に、シート材１´をマスク保管具１へと組み立てる工程と共に、マスク保管具１の使用状態について説明する。図２〜図７は、シート材１´をマスク保管具１へと組み立てながらマスクＭを収納する工程を示す説明図である。ユーザは、着用している不織布製の使い捨てマスクＭを外して、シート材１´のマスク置き部１０上にマスクＭを置く（図２参照）。この時、マスクＭの２つの耳ひもｍが上下となるようマスクＭをマスク置き部１０に配置する。次いで、マスクＭの各耳ひもｍを、切込み１２に通して各耳ひも引っ掛け片１１に引っ掛ける（図３参照）。これにより、マスクＭがマスク置き部１０に固定されてずれたりしない状態となる。
【００１８】
次に、第１折り目ｆ１からカバー部２０を上方に折り曲げ（図４参照）、次いでマスク置き部１０上のマスクＭをカバー部２０が覆うようにマスク置き部１０上にカバー部２０を重ねる（図５参照）。次いで、図６に示すように第２折り目ｆ２からカバー係止部３０を上方に折り曲げ、更にマスク置き部１０側に重ねる。この際、カバー係止部３０の係止片３１をカバー部２０のスリット２２に差し込み、これによりカバー部２０の被係止部２１がカバー係止部３０のスリット３２と係止片３１との間に入り込む（図７参照）。これによりカバー係止部３０が、マスク置き部１０上のマスクＭを覆った状態のカバー部２０をその状態に維持することができる。このようにしてシート材１´がマスク保管具１となり、マスク保管具１によりマスクＭを簡易かつ衛生的に一時的に保管することができる。なお、マスクＭを保管した状態のマスク保管具１もほぼ平坦状であり、このマスクＭを保管した状態のマスク保管具１を持ち運んでもよい。
【００１９】
図７の状態から再度マスクＭを着用する場合は、カバー係止部３０の係止片３１をカバー部２０のスリット２２から抜き出して、カバー係止部３０及びカバー部２０を第２及び第１折り目ｆ２、ｆ１から開き、マスクＭを取り出すようにする。マスクＭを取り出した後のマスク保管具１（シート材１´）は使い捨てとすることができる他、図１の展開状態にて又はマスクＭを収容していない図６や図７の折り畳み状態にて持ち運ぶことができる。
【００２０】
以上では、不織布製の使い捨てマスクＭをマスク保管具１に保管する場合について説明したが、次に、一般的な大人サイズの立体型のマスクＭ´を保管する場合について説明する。図８は、シート材１´のマスク置き部１０上に、立体型のマスクＭ´の本体を半分に折り畳みその上下に耳ひもｍ´を重ねて配置した状態を示す図２と同様の説明図である。図２では、マスクＭを横幅側を上下にしてマスク置き部１０上に配置したが、図８では、本体の横幅を半分に折り畳んだマスクＭ´の上下をそのままでマスクＭ´の横幅側を左右にしてマスク置き部１０上に配置される。このような状態のマスクＭ´は、マスク置き部１０における上下の第３折り目ｆ３間でかつ左右の第１及び第２折り目ｆ１、ｆ２間内の領域に収まる大きさである。
【００２１】
図８の状態から、図９に示すように第３折り目ｆ３から耳ひも引っ掛け片１１を内側に折り曲げる。この際、マスク置き部１０の上下長さ及び耳ひも引っ掛け片１１の切込み１２を上記した寸法としたため、耳ひも引っ掛け片１１の一部がマスクＭ´の一部の上に重なる。図９では上方の耳ひも引っ掛け片１１のみを折り曲げた状態を示すが、同様に下方の耳ひも引っ掛け片１１も内側に折り曲げる。これにより、上下の耳ひも引っ掛け片１１がマスクＭ´上に部分的に重なり、両耳ひも引っ掛け片１１でマスクＭ´をマスク置き部１０に対して押さえることが可能となる。次いで、図４〜図７に関連して既述したようにシート材１´をマスク保管具１へと組み立てることにより、マスクＭ´をマスク保管具１に保管、収容することができる。マスクＭ´は、マスク保管具１の保管状態において、上下の耳ひも引っ掛け片１１によりマスク置き部１０に対して部分的に押さえ付けられているため、マスク保管具１の上下から抜け落ちるようなことはない。
【符号の説明】
【００２２】
１  マスク保管具
１´  シート材
１０  マスク置き部
１１  耳ひも引っ掛け片
１２  切込み
２０  カバー部
２１  被係止部
２２  スリット
３０  カバー係止部
３１  係止片
３２  スリット
ｆ１  第１折り目
ｆ２  第２折り目
ｆ３  第３折り目
Ｍ、Ｍ´  マスク
ｍ、ｍ´  耳ひも
【図１】
0003228971.tif 000003
【図２】
0003228971.tif 000004
【図３】
0003228971.tif 000005
【図４】
0003228971.tif 000006
【図５】
0003228971.tif 000007
【図６】
0003228971.tif 000008
【図７】
0003228971.tif 000009
【図８】
0003228971.tif 000010
【図９】
0003228971.tif 000011